(57)【要約】【課題】装飾作業が容易な装飾用リボンを提供すること、及び熟練を要することなしに見栄えの良い装飾が可能である装飾用リボンを提供すること。【解決手段】装飾用リボン（１０）は、両端部（１４，１６）を有するリボン片（１２）と、リボン片の両端部間に配置されかつリボン片にその長手方向に間隔をおいた２個所（２０，２２）で接合された弾性部材（１８）とを含む。弾性部材における２個所（２０，２２）間の相互間隔は、リボン片における２個所間の相互間隔より小さい。【選択図】図１
0003116546.tif 000002
【実用新案登録請求の範囲】
【請求項１】
両端部を有するリボン片と、前記リボン片の両端部間に配置されかつ前記リボン片にその長手方向に間隔をおいた２個所で接合された弾性部材とを含み、
前記弾性部材における前記２個所間の相互間隔が前記リボン片における前記２個所間の相互間隔より小さい、装飾用リボン。
【請求項２】
前記リボン片の両端部は、互いに接合されている、請求項１に記載の装飾用リボン。
【請求項３】
前記リボン片の両端部は、蝶結びに結び合わされている、請求項１に記載の装飾用リボン。
【請求項４】
前記弾性部材は、ポリウレタン樹脂製の薄片からなる、請求項１に記載の装飾用リボン。
【請求項５】
前記弾性部材は、ゴム製の薄片からなる、請求項１に記載の装飾用リボン。
【考案の詳細な説明】
【技術分野】
【０００１】
本考案は、贈答品やその包装からなる物品の装飾に用いられる装飾用リボンに関する。
【背景技術】
【０００２】
従来、前記物品の装飾手段として装飾用リボンが用いられている。装飾用リボンは、その使用に際し、前記物品の周囲に巻き付けられ、解けないようにその両端部が互いに結び合わされる（例えば、特許文献１参照）。
【０００３】
【特許文献１】特開平１１−９９０４９号公報
【０００４】
しかし、このような装飾用リボンの両端部の結び合わせを含む装飾作業には時間を要し、また、その装飾状態を見映えの良いものとするのに熟練を要する。このため、特に、季節商品の需要期における店舗内での装飾作業には多大の労力と時間を要した。
【考案の開示】
【考案が解決しようとする課題】
【０００５】
本考案の目的は、装飾作業が容易な装飾用リボンを提供することにある。また、本考案の他の目的は、熟練を要することなしに見栄えの良い装飾が可能である装飾用リボンを提供することにある。
【課題を解決するための手段】
【０００６】
本考案に係る装飾用リボンは、両端部を有するリボン片と、前記リボン片の両端部間に配置されかつ前記リボン片にその長手方向に間隔をおいた２個所で接合された弾性部材とを含み、前記弾性部材における前記２個所間の相互間隔が前記リボン片における前記２個所間の相互間隔より小さい。
【０００７】
前記リボン片の両端部は互いに接合され、あるいは蝶結びに結び合わされた
ものとすることができる。また、前記弾性部材はポリウレタン樹脂製、又はゴム製の薄片からなるものとすることができる。
【考案の効果】
【０００８】
本考案の装飾リボンにあっては、リボン片の両端部間にポリウレタン樹脂やゴム製の薄片のような弾性部材が取り付けられている。前記弾性部材は前記リボン片にその長手方向へ間隔をおいた２個所で接合されており、該２個所（接合個所）の相互間隔が、前記リボン片における前記２個所（接合個所）の相互間隔より小さい。
【０００９】
このため、前記リボン片の伸長及びその弾性復帰（収縮）と、これに伴う前記接合個所間における前記リボン片の一部の引き延ばし及び弛みとが可能である。このことから、前記弾性部材が伸長するように、装飾リボンを贈答品やその包装のような物品に掛け回し、前記リボン片の両端部を相互に接合し、あるいは予め接合しておくことにより、前記弾性部材の収縮性向を利用して、前記装飾リボンを前記物品に容易に止め付けることができる。前記リボン片の両端部を蝶結びに結び合わせて接合するときは、装飾効果のより一層の増大を図ることができる。このことから、贈答品のような物品に施す装飾作業を容易に、また熟練を要することなしに物品への見栄えの良い装飾を施すことができる。
【考案を実施するための最良の形態】
【００１０】
図１を参照すると、贈答品のような物品の装飾のために使用される装飾用リボンが全体に符号１０で示されている。
【００１１】
装飾用リボン１０は、リボン片１２と、該リボン片の両端部１４，１６間に配置された弾性部材１８とを備え、弾性部材１８はリボン片１２にその長手方向に間隔をおいた２個所２０，２２で接合されている。
【００１２】
リボン片１２は、ナイロン繊維、ポリエステル繊維のような合成繊維製、アセテートのような化学繊維製、天然繊維製等の細幅の織物、ポリプロピレン製やビニル製のテープ等からなる。
【００１３】
図示の装飾用リボン１０にあっては、その使用時における装飾効果をより高めるため、リボン片１２の両端部１４，１６が互いに蝶結び２４に結び合わされ、相互接合されている。この相互接合のため、リボン片１２は全体に環状を呈している。
【００１４】
リボン片の両端部１４，１６は、これらの蝶結び２４による相互接合に代えて、前記蝶結び以外の結び合わせを以て互いに接合し、さらに接合部に任意の造花（図示せず）を取り付けることができる。あるいは、両端部１４，１６の一部分を互いに重ね合わせ、これらを接着剤、超音波溶接、縫合等の任意の接合手段で互いに接合することができる。また、両端部１４，１６を互いに接合することなしに互いに分離した状態とすることもできる。
【００１５】
他方、弾性部材１８は、例えばポリウレタン樹脂製、ゴム製等の矩形状の薄片からなり、好ましくはリボン片１２より小さい幅寸法を有する。前記薄片は、前記矩形以外の任意の弾性部材１８の長さ寸法は、その弾性的な伸長可能量を考慮して任意に定めることができる。弾性部材１８は、前記矩形以外の他の形状を有する薄片とし、また単一の薄片とした図示の例に代えて、例えば互いに平行に伸びる細幅の複数の薄片（図示せず）、複数の線状片（図示せず）等とすることができる。また、弾性部材１８は、見栄えをよくするために図示の例におけるように環状のリボン片１２の内周面に接合することが好ましいが、これに代えて、リボン片１２の外周面に接合することも可能である。
【００１６】
本考案に係る装飾用リボン１０にあっては、弾性部材１８における２個所（接合個所）２０，２２間の相互間隔が、リボン片１２における両接合個所２０，２２間の相互間隔より小さい。
【００１７】
このため、両接合個所２０，２２間におけるリボン片１２の一部２６が弾性部材１８の外側に膨出した状態、折り畳み状態等となっている。したがって、弾性部材１８が引っ張られてこれが伸長するとき、共通の両接合個所２０，２２間の距離が増大するため、これに伴ってリボン片の一部２６が真っ直ぐになるように伸長する。反対に弾性部材１８に対する引張り力を解除するとリボン片２６の一部２６は元の状態に戻る。したがって、リボン片１２は実質的にその長さを増減させる。
【００１８】
このことから、装飾用リボン１０を前記物品に取り付ける際、リボン片１２を弾性部材１８の両側から引張って弾性部材１８及びその一部２６を伸ばし、環状のリボン片１２を広げることにより、装飾用リボン１０を前記物品に容易に掛け回すことができる。前記引張り状態を解除すると弾性部材１８が収縮し、前記物品が装飾用リボン１０により軽く締め付けられる。その結果、装飾用リボン１０が該物品から外れないように前記物品に取り付けられる。
【００１９】
装飾用リボン１０が前記物品に取り付けられたとき、弾性部材１８は伸長状態にあるところ、装飾用リボン１０の見栄えが良いように、リボン片の一部２６もまた真っ直ぐに伸長した状態にあることが望ましい。そこで、適用される物品の大きさに合わせて、弾性部材１８の長さ寸法及びリボン片の一部２６の長さ寸法が設定される。大きさの異なる物品への適用のため、弾性部材１８の長さ寸法及びリボン片の一部２６の長さ寸法が種々に異なる多種類の装飾用リボン１０を準備しておくこともできる。
【００２０】
なお、リボン片１２の両端部１４，１６を互いに接合しない例（環状にしない例）にあっては、リボン片１２を前記物品に掛け回した後、その一部２６が真っ直ぐに伸びるまでその両端部１４，１６を共に引っ張った後、両端部１４，１６を互いに結び合わせ、接着テープで接合し、あるいは前記物品に貼り付けることにより、装飾用リボン１０で前記物品を装飾することができる。
【図面の簡単な説明】
【００２１】
【図１】本考案に係る装飾用リボンの斜視図である。
【符号の説明】
【００２２】
１０  装飾用リボン
１２  リボン片
１４，１６  リボン片の両端部
１８  弾性部材
２０，２２  ２つの接合個所
２４  蝶結び
２６  リボン片の一部
【図１】
0003116546.tif 000003